(57)【要約】【課題】コストをかけずに各種の処理が可能な仮設資材のレンタルシステムを提供する。【解決手段】仮設資材の各々には、各仮設資材を特定するためのＩＣタグが設けられる。レンタルシステムは各機能毎の管理コンピュータ１２等を含む。各機能毎の管理コンピュータには、ＩＣタグに近接して、ＩＣタグから各仮設資材を特定する信号を受信して、受信した信号を管理センタコンピュータ１２に送信するリーダ３５等が接続され、各機能毎の管理コンピュータは、自分を特定する情報とともに、リーダ３５等によって読取られたＩＣタグを特定する情報を管理センタコンピュータ１２に送信し、管理センタコンピュータ１２は、各機能毎の管理コンピュータからの情報に基づいて仮設資材のレンタル状況を管理する。【選択図】        図１
2005044066.tif 000002
【特許請求の範囲】
【請求項１】
仮設資材のレンタルシステムであって、
前記仮設資材の各々には、各仮設資材を特定するためのＩＤ番号を含むＩＣタグが設けられ、
前記レンタルシステムのそれぞれ異なる機能を実行する箇所に設けられた各機能毎の管理コンピュータを含み、
前記各機能毎の管理コンピュータには、前記ＩＣタグに近接して、前記ＩＣタグから前記各仮設資材を特定する信号を受信して、受信した信号を管理センタコンピュータに送信するＩＣタグ読出し手段が接続され、
前記各機能毎の管理コンピュータは、自分を特定する情報とともに、前記ＩＣタグ読出し手段によって読取られたＩＤ番号および処理内容を示す情報を前記管理センタコンピュータに送信し、
前記管理センタコンピュータは、前記各機能毎の管理コンピュータからの情報に基づいて前記仮設資材を管理する仮設資材のレンタルシステム。
【請求項２】
前記管理センタコンピュータは、前記各機能毎の管理コンピュータからの情報を記録したデータベースを含む、請求項１に記載の仮設資材のレンタルシステム。
【請求項３】
前記各機能毎の管理コンピュータと前記管理センタコンピュータとは、ネットワークで相互に接続され、前記各機能毎の管理コンピュータは前記データベースを閲覧可能である、請求項１または２に記載の仮設資材のレンタルシステム。
【請求項４】
前記仮設資材は複数組み合わせて使用される、請求項１から３のいずれかに記載の仮設資材のレンタルシステム。
【請求項５】
前記ＩＣタグ読出し手段は複数の前記仮設資材に設けられたＩＣタグから同時に各仮設資材を特定する信号を受信する、請求項１から４のいずれかに記載の仮設資材のレンタルシステム。
【発明の詳細な説明】
【０００１】
【発明の属する技術分野】
この発明は、仮設資材のレンタルシステムに関し、特に、タグにおけるデータ量を少なくできる仮設資材のレンタルシステムに関する。
【０００２】
【従来の技術】
従来の部材のレンタルシステムが、たとえば、下記の特許文献１および２に開示されている。文献１によれば、各レンタル商品にＩＤタグが取付けられ、ＩＤタグには、少なくともレンタル商品を特定するＩＤコードと、仮設資材の品質グレードとを記憶し、物流センタには、ＩＤタグに記憶された品質グレードを非接触で読取り、この読取った品質グレードを更新してＩＤタグに非接触で書き込むタグ書込読取装置が設けられ、このタグ書込読取装置で読取られた情報に基づいて全てのレンタル仮設資材に亘る品質グレードの分布特性が算出されたり、レンタル仮設資材の寿命が予測されたりする。
【０００３】
文献２によれば、建設資機材にコード番号を付し、各機体のデータリストを作成し、パソコンに登録してプリンタから貸し出し伝票を打ち出して貸し出し処理を行うシステムを開示している。
【０００４】
【特許文献１】
特許３２０００３７号公報（図１およびそれに関係する説明）
【０００５】
【特許文献２】
特開平１０−２２２５７７号公報（図６およびそれに関係する説明）
【０００６】
【発明が解決しようとする課題】
従来の仮設資材のレンタルシステムは上記のように構成されていた。文献１では、ＩＤタグに複数の情報を非接触で更新して書き込む必要があるため、ＩＤタグとして大きな記録容量が必要となるとともにデータの更新が可能な構成とする必要があり、コストが上がるという問題があった。
【０００７】
一方、文献２では、貸し出し伝票の作成といった簡易な処理しかできない、という問題があった。
【０００８】
この発明は、上記のような従来の問題点に鑑みてなされたもので、ＩＣタグまたはＩＤタグでのデータ量を増やすことなく各種の処理が可能な仮設資材のレンタルシステムを提供することを目的とする。
【０００９】
【課題を解決するための手段】
この発明にかかる仮設資材のレンタルシステムにおいては、仮設資材の各々には、各仮設資材を特定するためのＩＤ番号を含むＩＣタグが設けられ、レンタルシステムのそれぞれ異なる機能を実行する箇所に設けられた各機能毎の管理コンピュータを含む。各機能毎の管理コンピュータには、ＩＣタグに近接して、ＩＣタグから各仮設資材を特定する信号を受信して、受信した信号を管理センタコンピュータに送信するＩＣタグ読出し手段が接続され、各機能毎の管理コンピュータは、自分を特定する情報とともに、ＩＣタグ読出し手段によって読取られたＩＤ番号および処理内容を示す情報を管理センタコンピュータに送信し、管理センタコンピュータは、各機能毎の管理コンピュータからの情報に基づいて仮設資材を管理する。
【００１０】
レンタルシステムのそれぞれ異なる機能を実行する箇所に設けられた各機能毎の管理コンピュータは、自分を特定する情報とともに、ＩＣタグに記憶されたＩＤ番号と、処理内容を示す情報を管理センタコンピュータに送信し、管理センタコンピュータは、各機能毎の管理コンピュータからの情報に基づいて仮設資材を管理するため、どの管理コンピュータの基でレンタル用の仮設資材がどのように処理されているかを容易に知ることができる。
【００１１】
その結果、ＩＣタグでのデータ量を増やすことなく少ないデータで管理が可能な仮設資材のレンタルシステムを提供することができる。
【００１２】
また、レンタルシステムは、レンタル料金の管理を行う伝票管理システムと連動させるのが好ましい。
【００１３】
好ましくは、管理センタコンピュータは、各機能毎の管理コンピュータからの情報を記録したデータベースを含む。このデータベースは、各機能毎の管理コンピュータから閲覧が可能である。
【００１４】
さらに好ましくは、各機能毎の管理コンピュータと管理センタコンピュータとは、ネットワークで相互に接続され、各機能毎の管理コンピュータはデータベースを閲覧可能である。
【００１５】
さらに好ましくは、仮設資材は複数組み合わせて使用される。
さらに好ましくは、ＩＣタグ読出し手段は複数の仮設資材に設けられたＩＣタグから同時に各仮設資材を特定する信号を受信する。
【００１６】
好ましくは、仮設資材は複数組み合わせて使用される。
さらに好ましくは、ＩＣタグ検出手段は複数の仮設資材に設けられたＩＣタグから各仮設資材を特定する信号を受信する。
【００１７】
【発明の実施の形態】
以下、この発明にかかる仮設資材レンタルシステムの一実施の形態について、図面を参照して説明する。図１は、仮設資材レンタルシステムの一実施の形態を示す図ブロック図である。
【００１８】
図１を参照して、仮設資材レンタルシステム１０は、レンタルシステムのそれぞれ異なる機能を実行する箇所としての、レンタル状況を管理するための管理センタ１１と、レンタルされる仮設資材を製造する工場２０と、工場２０から出荷された仮設資材を顧客の要求に応じて所定の現場６０へ配送する配送センタ３０と、現場６０から返却された仮設資材を回収する回収センタ４０と、回収された仮設資材の保守を行う保守センタ５０とから構成される。仮設資材レンタルシステム１０のそれぞれ異なる機能を実行する上記箇所にはそれぞれの各機能毎の管理コンピュータが設けられ、それらがネットワーク１５を介して相互に接続されている。
【００１９】
管理センタ１１には管理センタコンピュータ１２と管理センタコンピュータ１２に接続され、レンタルされる仮設資材のデータを個別に格納するデータベース１３とが設けられている。管理センタコンピュータ１２は、各機能を実行する部署２０、３０，４０，５０から送信されてくるデータを受けて、データベース１３に記録する。各部署の管理コンピュータ２１，３１，４１，５１は管理センタ１１の管理センタコンピュータ１２を介してデータベース１３にアクセスし、データの入力およびレンタルされる仮設資材のデータを閲覧する。
【００２０】
次にレンタルされる仮設資材の処理について説明する。まず、工場２０においてレンタルされる仮設資材が製造される。製造された仮設資材には、後に説明するＩＣタグが取付けられる。ＩＣタグには、その仮設資材を特定するためのＩＤ番号、商品名、製造年月日、製造工場、型式、サイズ、レンタル回数を含む情報が記録されている。これらの情報は管理コンピュータ２１の図示のない入力装置でＩＣタグに付加され、管理コンピュータ２１から管理コンピュータ２１自身を特定する情報とともに、管理センタ１１の管理センタコンピュータ１２へ送信され、データベース１３に記録される。
【００２１】
ＩＣタグに記録される内容が少ないため、記録領域を小さくできＩＣタグのコストを落とすことが可能となる。ＩＣタグには、他の基本的なデータ（後で図１０に記載されている内容のうち、任意のもの）を必要に応じて記録するようにしてもよい。また、ＩＣタグの記録しているＩＤ番号は書き換え不能とする。
【００２２】
なお、ＩＣタグに記録されるデータとしては、任意に設定できるが、少なくともＩＤ番号は含まれるものとする。
【００２３】
工場２０で製造され、ＩＣタグの取付けられたレンタル用の仮設資材は、次に配送センタ３０に送られる。この情報も管理コンピュータ２１から管理センタコンピュータ１２に送信され、データベース１３に格納される。
【００２４】
管理センタ１１には、図示のない営業所等からの仮設資材のレンタルの依頼が登録されており、レンタルの依頼情報に基づいて、配送センタ３０に配送依頼がなされる。配送センタ３０では、上記の依頼に基づいて、レンタルする仮設資材の準備を行う。なお、この営業所もネットワーク１５を介して入力されてもよい。このネットワーク１５は、インターネットのような開いたネットワークでもよいが、閉じたネットワークの方が好ましい。
【００２５】
配送センタ３０は図示の無い倉庫を有し、そこには、工場２０で製造された新しいレンタル用の仮設資材や、すでにレンタルされて返却された仮設資材が保管されている。これらの情報も配送センタ３０の管理コンピュータ３１によって管理センタ１１の管理コンピュータ１２に送信される。配送センタ３０では、レンタルの依頼に応じて、倉庫から依頼されたレンタル用の仮設資材を出庫し、依頼のあったレンタル先の現場６０へ向けて配送する。
【００２６】
現場６０から返却された仮設資材は、回収センタ４０で回収され、回収センタ４０の管理コンピュータ４１から回収された旨をネットワーク１５を介して管理センタ１１の管理センタコンピュータ１２に連絡する。
【００２７】
返却されたレンタル用の仮設資材が回収センタ４０において検査され、その結果、補修が必要とされたときは、保守センタ５０で所定の保守を行い、再度のレンタルのために配送センタ３０の倉庫へ搬送される。保守センタ５０へ受け入れ、また、補修した仮設資材のデータは保守センタ５０の管理コンピュータ５１を介して管理センタ１１の管理センタコンピュータ１２に送信される。
【００２８】
図２は、レンタル用の仮設資材の一例としての、安全ネット２５と、そこに取付けられたＩＣタグ２６とを示す図である。このＩＣタグを読取るために、一般には手持ちのリーダ／ライタ２７を使用する。
【００２９】
次に、上記の工程を具体的に説明する。図３（Ａ）はレンタル用の仮設資材の使用例を示し、ビルの建設工事現場において、ビルの側壁を覆うメッシュシート２４と、建設資材等の落下防止に使用される安全ネット２５とを示す。図３（Ｂ）は、相互に連結された複数の安全ネット２５およびその各々の一部に取付けられたＩＣタグ２６とを示す図である。仮設資材の中には、安全ネット２５のように、複数連結して、また複数重ねて、同時に使用される場合がある。以下、レンタル用の仮設資材としてメッシュシート２４や安全ネット２５を例として、この発明の一実施の形態であるレンタルシステムについて説明する。
【００３０】
図４は、配送センタ３０において図示のない倉庫から安全ネット２５を出荷する場合の様子を示す図である。図４を参照して、安全ネット２５は予め複数が束ねられてブロック３３を構成している。
【００３１】
配送センタ３０には、出荷用にベルトコンベヤ３４と、ベルトコンベヤ３４の搬送途中にベルトコンベヤ３４をまたいで据え付けられ、ＩＣタグ２６を読取るための門形のリーダ３５とが設けられている。出荷時には、ブロック３３がベルトコンベヤ３４で搬送され、搬送中にブロック３３を構成する複数の安全ネット２５のＩＣタグ２６がリーダ３５で読取られる。リーダ３５は図示の無いアンテナ、発信器、受信器を有しており、アンテナを介して所定の電磁波を発信し、それを受けたＩＣタグ２６が自己のＩＤ番号を出力し、それを受信器で受信する。リーダ３５は管理コンピュータ３１と接続され、読取られたデータは管理コンピュータ３１の図示のない記憶装置に格納される。
【００３２】
この実施の形態においては、複数のレンタル用の仮設資材がブロックとしてまとめて搬送中に同時に読み取られるため、効率の良いレンタル用仮設資材の管理が可能になる。
【００３３】
なお、搬送数量が多い場合は、ＩＣタグの読取りは、作業員がリーダ／ライタ２７を用いて読取ってもよい。
【００３４】
リーダ３５でＩＣタグ２６が読みとれなかったときは、その旨の警告がリーダ３５から出力される。そのときは、再読込経路３８に戻して再度リーダ３５によって読みとる。この作業は作業員が手作業で行う。
【００３５】
なお、出荷時には、予め、レンタル先の情報が管理センタ１１からの送信等により、配送センタ３０の管理コンピュータ３１に読込まれており、レンタル先情報と共に管理コンピュータ３１に格納されたＩＣタグ２６のデータは、ＩＤ番号とともに、管理センタ１１の管理センタコンピュータ１２に送信され、管理センタコンピュータ１２はＩＣタグ２６によって特定されるＩＤ番号毎にそのレンタル先等の情報をデータベース１３に格納する。
【００３６】
図５は、現場６０からレンタルされた仮設資材が返却されたときの回収センタ４０における処理を示す模式図である。図５を参照して、回収センタ４０は、配送センタ３０と同様に、回収用にベルトコンベヤ４４と、ベルトコンベヤ４４の搬送途中に設けられ、ＩＣタグ２６を読取るためのリーダ４５とが設けられている。回収時には、安全ネットやメッシュシートのようなレンタル用仮設資材はまとめてベルトコンベヤ４４で搬送され、搬送中にレンタル用仮設資材のＩＣタグ２６がリーダ４５で読取られる。
【００３７】
リーダ４５は図示の無いアンテナ、発信器、受信器を有しており、アンテナを介して所定の電磁波を発信し、それを受けたＩＣタグ２６が自己のＩＤ番号を出力し、それを受信器で受信するのは、配送センタ３０での処理の場合と同様である。リーダ４５は管理コンピュータ４１と接続され、読取られたデータは管理コンピュータ４１の図示のない記憶装置に格納される。
【００３８】
この場合、リーダ４５によってＩＣタグ２６が読み取れなかったときは、再度リーダ２６で読取るために再読込経路４７を経てベルトコンベヤ４４に戻すか、または、手動読込み経路４６を経てリーダ／ライタ２７を用いて作業員が手でＩＣタグ２６を読取るようにしてもよい。この場合、リーダ／ライタ２７は管理コンピュータ４１に接続され、読取られたデータはリーダ４５で読取られたデータと同様に図示のない記憶装置に格納される。また、回収数量が多い場合は、ＩＣタグの読取りは、ベルトコンベヤ４４と同時に、作業員がリーダ／ライタ２７を用いて読取ってもよい。
【００３９】
回収センタ４０の管理コンピュータ４１は、管理コンピュータ１２からの連絡等によって、予め、返却先の現場６０のデータを保持している。この返却先情報、記憶装置に記憶されたＩＣタグ２６のデータおよび管理コンピュータ４１を特定する情報は、合わせて、管理センタ１１の管理センタコンピュータ１２に送信され、データベース１３に記録される。
【００４０】
この返却先情報は、管理センタコンピュータ１２からの通知でなく、顧客が直接回収センタ４０に返却してきたときは、図示のない、回収用のトラックに設けられた入力装置またはリーダ／ライタによってＩＣタグ２６を読取り、その顧客名、返却年月日、返却数量等は管理コンピュータ４１で入力して管理センタ１１の管理センタコンピュータ１２へ送信し、データベース１３に格納してもよい。
【００４１】
この回収作業においては、作業員は目視で返却されたレンタル仮設資材を検査する。たとえば、安全ネット２５において、汚れがひどかったり、メッシュが破損していたり、塗装が剥がれていたとき等には、該当仮設資材を保守センタ５０へ搬送する。この旨の情報も管理コンピュータ４１から管理センタ１１の管理センタコンピュータ１２へ送信する。
【００４２】
保守センタ５０では、搬入されてきた仮設資材のＩＣタグ２６を読取り、そのデータを保守センタ５０の管理コンピュータ５１に格納する。この場合のＩＣタグ２６の読取りも、配送センタ３０や回収センタ４０と同様にベルトコンベヤを用いて行ってもよい。
【００４３】
保守センタ５０では、各仮設資材の破損状況に応じて、付着物の除去、洗浄、補修、塗装等の処理を行い、その旨のデータを図示のない上記したリーダまたはリーダ／ライタで読取り、保守センタ管理コンピュータ５１を特定する情報とともに、保守センタ５０の管理コンピュータ５１に格納する。保守の完了したレンタル用の仮設資材は、再度の出荷のために配送センタ３０の倉庫に搬送され、保管される。
【００４４】
この間の仮設資材の保守内容、保管状況、配送センタ３０への搬送、その日付等の処理内容は図示のない入力装置によって入力され、そのデータは、一旦保守センタ５０の管理コンピュータ５１に格納され、管理センタ１１の管理センタコンピュータ１２に送信されてデータベース１３に格納される。
【００４５】
レンタル用の仮設資材のＩＣタグ２６が上記のように読取られて、各部署の管理コンピュータから部署を特定するデータとともに所定のデータが付加されて、管理センタ１１の管理センタコンピュータ１２およびデータベース１３で管理されるため、レンタル用の仮設資材の各々がどの場所にあって、どのように処理されているのかを管理センタ１１だけでなく、工場２０、配送センタ３０、回収センタ４０および保守センタ５０の任意の場所の管理コンピュータで確認できる。
【００４６】
次に、配送センタ３０、回収センタ４０および保守センタ５０の各管理コンピュータ３１，４１，５１の動作内容の一例について説明する。ここでは、安全ネット２５のような、同時に複数の仮設資材が使用される場合例について説明する。図６は配送センタ３０の管理コンピュータ３１の動作を示すフローチャートである。図６を参照して、配送センタ３０の管理コンピュータ３１は、まず、管理センタ１１の管理センタコンピュータ１２から予め出荷先情報および必要な出荷数量を入手しており、それに基づいて、出荷先を特定する（ステップＳ１１、以下ステップを省略する）。なお、この配送先は配送センタ３０で直接配送依頼を受けてもよい。
【００４７】
ついで、図４に示したように、ベルトコンベヤ３４での搬送中に、ブロック３３を構成している個々の安全ネット２５のＩＣタグ２６を読取る（Ｓ１２）。そのデータに基づいて、ブロック３３を構成する安全ネット２５が同時に使用されて問題ないかどうかを判断するレベル確認を行う（Ｓ１３）。これについては、図７を参照して後述する。
【００４８】
次に同時に使用されて問題の無いブロック３３を構成する安全ネット２５についてその出荷数量を確認し（Ｓ１４）、管理コンピュータ３１の図示のない記憶装置に格納する。その後、管理センタ１１のデータベース１３に配送先と共に登録する（Ｓ１５）。
【００４９】
次に図６のＳ１３のレベル確認処理について説明する。図７を参照して、レベル確認処理においては、ブロック３３を構成する安全ネット２５の性能がほぼ同じかどうかを判定する（Ｓ１３１）。ほぼ同じであれば、出荷ＯＫとして出荷数量に加算する（Ｓ１３２）。ほぼ同じで無いときは、警告を発する（Ｓ１３３）。
【００５０】
ここで、安全ネット２５の性能レベルがほぼ同じかどうかの判定は、たとえば、それらの製造年月およびそれまでのレンタル回数が同じか否かで判断する。これらのデータは基本的にＩＣタグに記録されている。
【００５１】
なお、ＩＣタグに記録されていない場合は、製造年月日やレンタル回数は、管理センタ１１の管理センタコンピュータ１２において、出荷先へレンタル用に出荷される毎にデータベース１３に加算されるカウンタによって判断するものとする。この場合は、予め、ブロック読込み時に複数のＩＣタグのデータを管理コンピュータ３１で読取り、そのＩＣタグのデータをデータベース１３からダウンロードしておく。そしてそのデータに基づいて確認を行う。
【００５２】
なお、上記では、同時に複数の仮設資材が使用される場合の例について説明したが、これに限らず、たとえば、安全ブロックのような、同時には使用されない複数の同一の仮設資材を同一現場６０へ出荷するときにも、上記のような処理を行ってもよい。
【００５３】
図８は回収センタ４０の管理コンピュータ４１の動作を示すフローチャートである。図８を参照して、回収センタ４０の管理コンピュータ４１は、まず、管理センタ１１の管理センタコンピュータ１２から予め返却先情報および返却数量を入手しており、それに基づいて、返却先を特定する（Ｓ２１）。
【００５４】
ついで、図５に示したように、ベルトコンベヤ４４で回収された個別またはブロック状の仮設資材の搬送中に、個々の安全ネット２５のＩＣタグ２６をリーダ４５で読取る（Ｓ２２）。そのデータに基づいて、返却予定数量が返却されたか否かを判断する（Ｓ２３）。ついで、検査を行う（Ｓ２４）。これについては、図９を参照して後述する。
【００５５】
次に上記のデータを管理センタ１１の管理センタコンピュータ１２に登録する（Ｓ２５）。
【００５６】
次に図８のＳ２４の検査について説明する。回収済み仮設資材の各々について、安全ネット２５が所定のレンタル回数を超えている場合は、その安全ネット２５がリーダ４５を通過したときに「目視要」との表示を図示のない表示部に行うか、または、音等で警告する。
【００５７】
この所定のレンタル回数は、各仮設資材毎に予め定められ、データベース１３に格納されている。なお、このデータは回収センタ４０の管理コンピュータ４１から閲覧できる。
【００５８】
これに応答して、作業員は目視検査を行う（Ｓ２４１、Ｓ２４２）。目視検査において何らかの補修処理が必要と判断したときは（Ｓ２４３）、それが今回処理が必要か否かを判定する（Ｓ２４４）。今回処理が必要と判断されたときは（Ｓ２４４でＹＥＳ）、その処理のために保守センタ５０へ配送する（Ｓ２４５）。
【００５９】
今回処理が必要とされて保守センタ５０へ送られたものは、所定の補修等の処理の終了後、その処理内容と共に保守センタ５０から管理センタ１１の管理センタコンピュータ１２を経てデータベース１３に登録される。
【００６０】
今回処理は必要でなく、次回に処理が必要と判断されたときは（Ｓ２４４でＮＯ）、次回処理要のデータを入力するために、その仮設資材のＩＣタグ２６をリーダ／ライタで読込ませ、その旨のデータと共に回収センタ４０の管理コンピュータ４１に格納し、データの確認後、管理センタ１１の管理コンピュータに送信される。この次回必要な処理の入力は図示のないキーボード等の入力装置や、図示のない表示装置の画面上で選択させて入力させてもよい。
【００６１】
なお、このレンタル用の仮設資材の返却は直接回収センタ４０で行ってもよい。その場合は、その旨を管理センタ１１の管理センタコンピュータ１２を介してデータベース１３に登録する。
【００６２】
なお、管理センタ１１のデータベース１３の内容の一例を図１０に示す。図１０に示すように、データベース１３には、上記したＩＤ番号、商品名、型式、サイズ、製造年月日、製造工場、レンタル回数、寿命回数、仮設資材ごとの現状、メンテナンス履歴等を含む。メンテナンス履歴には、洗浄、修理、塗装等の履歴をその処理をした日付とともに記録する。
【００６３】
データベース１３には上記以外に、メンテナンス工場名、過去のレンタル先、およびレンタル先毎の回数、総レンタル日数、次期レンタル後の処理が必要なものについてはその処理（次期廃棄、次期メンテナンス、次期洗浄、次期修理、次期塗装等）等も含めてもよい。
【００６４】
このデータベース１３においては、たとえば、次のような使用も可能である。すなわち、安全ネット２５は基本的な寸法として、３ｍ×６ｍとか３ｍ×６ｍと決まっている。これに対して、顧客から３ｍ×９ｍの要求があったときは、３ｍ×６ｍと３ｍ×６ｍとを組にして出荷する。データベース１３には、予め、複合出荷を示す欄が設けられており、この欄に所定のデータを書き込む。そうすれば、たとえば、回収時に、その一部のみが回収された時、その旨を知ることができ、残りの商品の回収を顧客に要求できる。
【００６５】
また、データベース１３は、レンタル商品である仮設資材のレンタル費用を顧客に請求するための、レンタル納品伝票、レンタル受取伝票、レンタル回収伝票、レンタル請求伝票等を発行するレンタル用伝票管理システムと連動させるのが好ましい。
【００６６】
上記実施の形態においては、各レンタル用仮設資材へＩＣタグは１つ取付けた例について説明したが、これに限らず、１つのタグが外れると管理ができなくなるおそれがあるため、レンタル用仮設資材ごとに複数のＩＣタグを取付けてもよい。この場合は、ＩＤ番号として別番号または枝番号を追加してデータベースで管理する。なお、同一のＩＤ番号を付してもよい。
【００６７】
上記実施の形態においては、レンタル用仮設資材として、比較的簡便な部品を例にあげて説明したが、それに限らず、わく組足場、移動式足場、単管足場、鉄骨足場、支保工、内装足場、仮囲い等やそれらを構成する部材をレンタルしてもよい。
【００６８】
さらに、クレーン、ブルドーザ等の建設機械を同様にレンタルしてもよい。
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【図面の簡単な説明】
【図１】この発明の一実施の形態にかかる、仮設資材レンタルシステムの全体構成を示すブロック図である。
【図２】レンタルされる仮設資材の一例としての安全ネットと、それに設けられたＩＣタグおよびＩＣタグへの読取り書込を行うリーダ／ライタを示す図である。
【図３】レンタルされる仮設資材が使用される建設現場の一例としてのビル、およびメッシュシート、安全ネットの使用状態を示す図である。
【図４】配送センタでの作業内容を示す図である。
【図５】回収センタでの作業内容を示す図である。
【図６】配送センタの管理コンピュータの動作内容を示すフローチャートである。
【図７】レベル確認処理内容を示すフローチャートである。
【図８】回収センタの管理コンピュータの動作内容を示すフローチャートである。
【図９】検査処理内容を示すフローチャートである。
【図１０】データベースの一例を示す図である。
【符号の説明】
１０  仮設資材レンタルシステム、１１  管理センタ、１２  管理コンピュータ、１３  データベース、１５  ネットワーク、２０  工場、２４  メッシュシート、２５  安全ネット、２６  ＩＣタグ、２７  リーダ／ライタ、３０  配送センタ、３１  配送センタ管理コンピュータ、３３  ブロック、３４、４４  ベルトコンベヤ、３５、４５  リーダ、４０  回収センタ、４１  回収センタ管理コンピュータ、５０  保守センタ、５１  保守センタ管理コンピュータ。
【図１】
2005044066.tif 000003
【図２】
2005044066.tif 000004
【図３】
2005044066.tif 000005
【図４】
2005044066.tif 000006
【図５】
2005044066.tif 000007
【図６】
2005044066.tif 000008
【図７】
2005044066.tif 000009
【図８】
2005044066.tif 000010
【図９】
2005044066.tif 000011
【図１０】
2005044066.tif 000012